(57)【要約】【課題】  本発明では、既存の光伝送システムの構成に大幅な設計変更を伴わずに新たな通信回線を挿入することが可能な光伝送ユニットを提供することを目的とする。また、この光伝送ユニットを用いた光伝送システムを提供することを目的とする。【解決手段】  上記課題を解決するために、本発明に係る光伝送システム１０では、第１の光伝送装置３１と、第２の光伝送装置３２と、光伝送ユニット１１と、を備える光伝送システムであって、光伝送ユニットには、第３の光伝送装置３３と、第１の光伝送装置から光伝送ユニットに入力された光信号を２分岐する光信号分岐手段４１と、第２の光伝送装置から光伝送ユニットに入力された光信号と第３の光伝送装置から出力された光信号とを結合する光信号結合手段４２と、光スイッチ５２と、制御部５１と、が備えられている。【選択図】図１       
2005167478.tif 000002
【特許請求の範囲】
【請求項１】
物理レイヤにおいてｐｏｉｎｔ−ｔｏ−ｐｏｉｎｔ伝送を行う第１の光伝送装置と、
前記第１の光伝送装置との間で物理レイヤにおいてｐｏｉｎｔ−ｔｏ−ｐｏｉｎｔ伝送を行う第２の光伝送装置と、
前記第１の光伝送装置と前記第２の光伝送装置との間に縦続して接続されたｍ（ｍは、自然数である。）個の光伝送ユニットと、を備える光伝送システムであって、
第ｎ（ｎは、ｍ以下の自然数である。）の光伝送ユニットには、
前記第１の光伝送装置との間で物理レイヤにおいてｐｏｉｎｔ−ｔｏ−ｐｏｉｎｔ伝送を行う第（ｎ＋２）の光伝送装置と、
前記第１の光伝送装置の側から前記第ｎの光伝送ユニットに入力される光信号を前記第２の光伝送装置に向けて及び前記第（ｎ＋２）の光伝送装置に２分岐する第ｎの光信号分岐手段と、
前記第２の光伝送装置の側から前記第ｎの光伝送ユニットに入力される光信号及び前記第（ｎ＋２）の光伝送装置から出力された光信号を前記第１の光伝送装置に向けて結合する第ｎの光信号結合手段と、
前記第（ｎ＋２）の光伝送装置から前記第１の光伝送装置に向けて光信号が出力されるときに、前記第２の光伝送装置の側から前記第ｎの光伝送ユニットに入力される光信号を前記第ｎの光信号結合手段の前段で遮断する第ｎの光信号遮断手段と、
が備えられた光伝送システム。
【請求項２】
前記第ｎの光信号遮断手段は、光信号を遮断又は導通させる第ｎの光スイッチと、前記第ｎの光スイッチの動作を制御する第ｎの制御部と、を有し、
前記第ｎの光スイッチは、前記第ｎの光信号結合手段と前記第２の光伝送装置との間に挿入され、前記第ｎの制御部は、前記第（ｎ＋２）の光伝送装置から前記第１の光伝送装置に向けて光信号が出力されることを検知したときに、前記第ｎの光スイッチの動作を制御して光信号を遮断させることを特徴とする請求項１に記載の光伝送システム。
【請求項３】
物理レイヤにおいてｐｏｉｎｔ−ｔｏ−ｐｏｉｎｔ伝送を行う第１の光伝送装置と、
前記第１の光伝送装置との間で物理レイヤにおいてｐｏｉｎｔ−ｔｏ−ｐｏｉｎｔ伝送を行う第２の光伝送装置と、
前記第１の光伝送装置と前記第２の光伝送装置との間に縦続して接続されたｐ（ｐは、自然数である。）個の光伝送ユニットと、を備える光伝送システムであって、
第ｑ（ｑは、ｐ以下の自然数である。）の光伝送ユニットには、
前記第１の光伝送装置との間で物理レイヤにおいてｐｏｉｎｔ−ｔｏ−ｐｏｉｎｔ伝送を行う第（２ｑ＋１）の光伝送装置と、
前記第２の光伝送装置との間で物理レイヤにおいてｐｏｉｎｔ−ｔｏ−ｐｏｉｎｔ伝送を行うことが可能な第（２ｑ＋２）の光伝送装置と、
前記第１の光伝送装置の側から前記第ｑの光伝送ユニットに入力される光信号を前記第２の光伝送装置に向けて及び前記第（２ｑ＋１）の光伝送装置に２分岐する第（２ｑ−１）の光信号分岐手段と、
前記第２の光伝送装置の側から前記第ｑの光伝送ユニットに入力される光信号を前記第１の光伝送装置に向けて及び前記第（２ｑ＋２）の光伝送装置に２分岐する第２ｑの光信号分岐手段と、
前記第２ｑの光信号分岐手段によって前記第１の光伝送装置に向けて分岐された光信号及び前記第（２ｑ＋１）の光伝送装置から出力された光信号を前記第２ｑの光信号分岐手段より前記第１の光伝送装置の側で前記第１の光伝送装置に向けて結合する第ｑの光信号結合手段と、
前記第２の光伝送装置から前記第１の光伝送装置に向けて出力される光信号を前記第ｑの光伝送ユニット内で遮断し且つ前記第１の光伝送装置から前記第２の光伝送装置に向けて出力される光信号を前記第ｑの光伝送ユニット内で遮断するか、又は前記第（２ｑ＋１）の光伝送装置が前記第１の光伝送装置に向けて出力する光信号を出力停止する第ｑの光信号制御手段と、
が備えられた光伝送システム。
【請求項４】
前記第ｑの光信号制御手段は、光信号を遮断又は導通させる第（２ｑ−１）の光スイッチと、光信号を遮断又は導通させる第２ｑの光スイッチと、前記第（２ｑ−１）の光スイッチ、前記第２ｑの光スイッチ及び前記第（２ｑ＋１）の光伝送装置の動作を制御する第ｑの制御部と、を有し、
前記第（２ｑ−１）の光スイッチは、前記第２ｑの光信号分岐手段と前記第ｑの光信号結合手段との間に挿入され、前記第２ｑの光スイッチは、前記第（２ｑ−１）の光信号分岐手段と前記第２の光伝送装置との間に挿入され、前記第ｑの制御部は、前記第（２ｑ＋１）の光伝送装置から前記第１の光伝送装置に向けて光信号が出力されることを検知したときに前記第（２ｑ−１）の光スイッチ及び前記第２ｑの光スイッチの動作を制御して、前記第（２ｑ−１）の光スイッチ及び前記第２ｑの光スイッチ共に光信号を遮断させるか、又は前記第（２ｑ＋２）の光伝送装置が光信号を受信したことを検知したときに前記第（２ｑ＋１）の光伝送装置の動作を制御して、前記第（２ｑ＋１）の光伝送装置から前記第１の光伝送装置に向けて出力される光信号を出力停止させることを特徴とする請求項３に記載の光伝送システム。
【請求項５】
物理レイヤにおいてｐｏｉｎｔ−ｔｏ−ｐｏｉｎｔ伝送を行う第１の光伝送装置と、
前記第１の光伝送装置との間で物理レイヤにおいてｐｏｉｎｔ−ｔｏ−ｐｏｉｎｔ伝送を行う第２の光伝送装置と、
前記第１の光伝送装置と前記第２の光伝送装置との間に縦続して接続されたｓ（ｓは、自然数である。）個の光伝送ユニットと、を備える光伝送システムであって、
第ｔ（ｔは、ｓ以下の自然数である。）の光伝送ユニットには、
前記第１の光伝送装置との間で物理レイヤにおいてｐｏｉｎｔ−ｔｏ−ｐｏｉｎｔ伝送を行う第（２ｔ＋１）の光伝送装置と、
前記第２の光伝送装置との間で物理レイヤにおいてｐｏｉｎｔ−ｔｏ−ｐｏｉｎｔ伝送を行うことが可能な第（２ｔ＋２）の光伝送装置と、
前記第１の光伝送装置の側から前記第ｔの光伝送ユニットに入力される光信号を前記第２の光伝送装置に向けて及び前記第（２ｔ＋１）の光伝送装置に２分岐する第（２ｔ−１）の光信号分岐手段と、
前記第２の光伝送装置の側から前記第ｔの光伝送ユニットに入力される光信号を前記第１の光伝送装置に向けて及び前記第（２ｔ＋２）の光伝送装置に２分岐する第２ｔの光信号分岐手段と、
前記第２ｔの光信号分岐手段によって前記第１の光伝送装置に向けて分岐された光信号及び前記第（２ｔ＋１）の光伝送装置から出力された光信号を前記第２ｔの光信号分岐手段より前記第１の光伝送装置の側で前記第１の光伝送装置に向けて結合する第ｔの光信号結合手段と、
前記第２ｔの光信号分岐手段によって前記第１の光伝送装置に向けて分岐された光信号及び前記第（２ｔ＋１）の光伝送装置から出力された光信号のいずれか一方の光信号を前記第ｔの光信号結合手段の前段で遮断し、他方の光信号を導通させる第ｔの光信号遮断手段と、
が備えられた光伝送システム。
【請求項６】
前記第ｔの光信号遮断手段は、光信号を遮断又は導通させる第（２ｔ−１）の光スイッチと、光信号を遮断又は導通させる第２ｔの光スイッチと、前記第（２ｔ−１）の光スイッチ及び前記第２ｔの光スイッチの動作を制御する第ｔの制御部とを有し、前記第（２ｔ−１）の光スイッチは、前記第ｔの光信号結合手段と前記第２ｔの光信号分岐手段との間に挿入され、前記第２ｔの光スイッチは、前記第ｔの光信号結合手段と前記第（２ｔ＋１）の光伝送装置との間に挿入され、前記第ｔの制御部は、前記第（２ｔ＋１）の光伝送装置から前記第１の光伝送装置に向けて光信号が出力されること又は前記第（２ｔ＋２）の光伝送装置が光信号を受信したことを検知したときに前記第（２ｔ−１）の光スイッチ及び前記第２ｔの光スイッチの動作を制御していずれか一方の光スイッチによって光信号を遮断させ、他方の光スイッチによって光信号を導通させることを特徴とする請求項５に記載の光伝送システム。
【請求項７】
相対する光伝送装置との間で物理レイヤにおいてｐｏｉｎｔ−ｔｏ−ｐｏｉｎｔ伝送を行う光伝送装置と、
前記相対する光伝送装置と相対する他の光伝送装置との間に配置され、前記相対する光伝送装置から出力された光信号を、前記相対する他の光伝送装置に向けて及び前記光伝送装置とに２分岐する光信号分岐手段と、
前記相対する他の光伝送装置と前記相対する光伝送装置との間に配置され、前記相対する他の光伝送装置から出力された光信号及び前記光伝送装置から出力された光信号を前記相対する光伝送装置に向けて結合する光信号結合手段と、
前記光信号結合手段と前記相対する他の光伝送装置との間で前記光信号結合手段に接続され、前記相対する他の光伝送装置から前記相対する光伝送装置に向けて出力される光信号を遮断又は導通させる光スイッチと、
前記光伝送装置から前記相対する光伝送装置に向けて光信号が出力されることを検知したときに、前記光スイッチの動作を制御して光信号を遮断させる制御部と、
を備える光伝送ユニット。
【請求項８】
相対する光伝送装置との間で物理レイヤにおいてｐｏｉｎｔ−ｔｏ−ｐｏｉｎｔ伝送を行う第１の光伝送装置と、
前記相対する光伝送装置と相対する他の光伝送装置との間に配置され、前記相対する他の光伝送装置との間で物理レイヤにおいてｐｏｉｎｔ−ｔｏ−ｐｏｉｎｔ伝送を行うことが可能な第２の光伝送装置と、
前記相対する光伝送装置と前記相対する他の光伝送装置との間に配置され、前記相対する光伝送装置から出力された光信号を、前記相対する他の光伝送装置に向けて及び前記第１の光伝送装置に２分岐する第１の光信号分岐手段と、
前記相対する光伝送装置と前記相対する他の光伝送装置との間に配置され、前記相対する他の光伝送装置から出力された光信号を前記第２の光伝送装置に向けて及び前記相対する光伝送装置に向けて２分岐する第２の光信号分岐手段と、
前記第２の光信号分岐手段と前記相対する光伝送装置との間に配置され、前記第２の光信号分岐手段によって前記相対する光伝送装置に向けて分岐された光信号及び前記第１の光伝送装置から出力された光信号を前記相対する光伝送装置に向けて結合する光信号結合手段と、
前記第２の光信号分岐手段と前記光信号結合手段との間に挿入され、前記相対する他の光伝送装置から前記相対する光伝送装置に向けて出力される光信号を遮断又は導通させる第１の光スイッチと、
前記第１の光信号分岐手段と前記相対する他の光伝送装置との間に挿入され、前記相対する光伝送装置から前記相対する他の光伝送装置に向けて出力される光信号を遮断又は導通させる第２の光スイッチと、
前記第１の光伝送装置から前記相対する光伝送装置に向けて光信号が出力されることを検知したときに前記第１の光スイッチ及び前記第２の光スイッチの動作を制御して、前記第１の光スイッチ及び前記第２の光スイッチ共に光信号を遮断させるか、又は前記第２の光伝送装置が光信号を受信したことを検知したときに前記第１の光伝送装置の動作を制御して、前記第１の光伝送装置から前記相対する光伝送装置に向けて出力される光信号を出力停止させる制御部と、
を備える光伝送ユニット。
【請求項９】
相対する光伝送装置との間で物理レイヤにおいてｐｏｉｎｔ−ｔｏ−ｐｏｉｎｔ伝送を行う第１の光伝送装置と、
前記相対する光伝送装置と相対する他の光伝送装置との間に配置され、前記相対する他の光伝送装置との間で物理レイヤにおいてｐｏｉｎｔ−ｔｏ−ｐｏｉｎｔ伝送を行うことが可能な第２の光伝送装置と、
前記相対する光伝送装置と前記相対する他の光伝送装置との間に配置され、前記相対する光伝送装置から出力された光信号を、前記相対する他の光伝送装置に向けて及び前記第１の光伝送装置に２分岐する第１の光信号分岐手段と、
前記相対する光伝送装置と前記相対する他の光伝送装置との間に配置され、前記相対する他の光伝送装置から出力された光信号を前記第２の光伝送装置に向けて及び前記相対する光伝送装置に向けて２分岐する第２の光信号分岐手段と、
前記第２の光信号分岐手段と前記相対する光伝送装置との間に配置され、前記第２の光信号分岐手段によって前記相対する光伝送装置に向けて分岐された光信号及び前記第１の光伝送装置から出力された光信号を前記相対する光伝送装置に向けて結合する光信号結合手段と、 
前記第２の光信号分岐手段と前記光信号結合手段との間に挿入され、前記相対する他の光伝送装置から前記相対する光伝送装置に向けて出力される光信号を遮断又は導通させる第１の光スイッチと、
前記第１の光伝送装置と前記光信号結合手段との間に挿入され、前記第１の光伝送装置から前記光信号結合手段に向けて出力される光信号を遮断又は導通させる第２の光スイッチと、
前記第１の光伝送装置から前記相対する光伝送装置に向けて光信号が出力されること又は前記第２の光伝送装置が光信号を受信したことを検知したときに、前記第１の光スイッチ及び前記第２の光スイッチの動作を制御していずれか一方の光スイッチによって光信号を遮断させ、他方の光スイッチによって光信号を導通させる制御部と、
を備える光伝送ユニット。
【発明の詳細な説明】
【技術分野】
【０００１】
本発明は、光ファイバによる既存の光伝送システムに、新たな通信回線を挿入する光伝送システムに関する。
【背景技術】
【０００２】
従来、セキュリティセンサ等の頻繁にデ−タの送受信を行わない通信システムにおいては、複数の通信回線を同時に使用することができるＩＳＤＮ（Ｉｎｔｅｇｒａｔｅｄ  Ｓｅｒｖｉｃｅｓ  Ｄｉｇｉｔａｌ  Ｎｅｔｗｏｒｋ）を用いることが多い（例えば、特許文献１参照。）。ＩＳＤＮは、デ−タ通信を通常の電話線によって行うデジタル通信網で、例えば、論理的には３本の通信回線で構成される。制御に用いられる通信速度１６ｋｂｐｓの１本のＤチャネル、通信に用いられる６４ｋｂｐｓの２本のＢチャネルを有する。２つの通信回線を同時に使用できるので、電話を使用しながらネットワ−クに接続することができる。
【０００３】
しかし、ＩＳＤＮは、システムの導入に際してタ−ミナルアダプタを新たに設置しなくてはならず、タ−ミナルアダプタの設置費用等のＩＳＤＮ通信システムの導入に関して膨大な費用がかかる場合がある。
【０００４】
また、昨今の光ファイバを用いた光伝送システムの普及を推進するＦＴＴＨ（Ｆｉｂｅｒ  Ｔｏ  Ｔｈｅ  Ｈｏｍｅ）に伴って、光伝送システムが普及すると、既存の光伝送システムに上記セキュリティセンサ等の頻繁にデ−タの送受信を行わない通信回線を挿入して使用する必要性が生じる。
【特許文献１】特開２０００−１６５５５２号公報
【発明の開示】
【発明が解決しようとする課題】
【０００５】
そこで、本発明では、既存の光伝送システムの構成に大幅な設計変更を伴わずに上記セキュリティセンサ等の新たな情報伝送機器を挿入して使用することが可能な光伝送ユニットを提供することを目的とする。また、この光伝送ユニットを用いた光伝送システムを提供することを目的とする。
【課題を解決するための手段】
【０００６】
上記課題を解決するために、本発明は、物理レイヤにおいてｐｏｉｎｔ−ｔｏ−ｐｏｉｎｔ伝送を行う第１の光伝送装置及び第２の光伝送装置によって構成された既存の光伝送システムに、光伝送ユニットを挿入して構成される光伝送システム及び当該光伝送ユニットである。各光伝送ユニットは、第１の光伝送装置と物理レイヤにおいてｐｏｉｎｔ−ｔｏ−ｐｏｉｎｔ伝送を行う光伝送装置を少なくとも備えており、光伝送ユニットを挿入して構成される光伝送システムでは、既存の光伝送システムの構成に大幅な設計変更を伴わずに第１の光伝送装置と第２の光伝送装置との間で伝送される光信号を透過させるか、第１の光伝送装置と新たに挿入した光伝送装置との間に新たな通信回線を確立するかを制御し、使用する光伝送装置を選択可能とすることを特徴としている。また、第２の光伝送装置と物理レイヤにおいてｐｏｉｎｔ−ｔｏ−ｐｏｉｎｔ伝送を行うことが可能な別の新たな光伝送装置を第１の光伝送装置と第２の光伝送装置との間に追加挿入して、第２の光伝送装置から第１の光伝送装置に向けて出力される光信号及び新たに挿入した光伝送装置から第１の光伝送装置に向けて出力される光信号に伝送順位を設定することもできる。
【０００７】
具体的には、本発明に係る光伝送システムは、物理レイヤにおいてｐｏｉｎｔ−ｔｏ−ｐｏｉｎｔ伝送を行う第１の光伝送装置と、前記第１の光伝送装置との間で物理レイヤにおいてｐｏｉｎｔ−ｔｏ−ｐｏｉｎｔ伝送を行う第２の光伝送装置と、前記第１の光伝送装置と前記第２の光伝送装置との間に縦続して接続されたｍ（ｍは、自然数である。）個の光伝送ユニットと、を備える光伝送システムであって、第ｎ（ｎは、ｍ以下の自然数である。）の光伝送ユニットには、前記第１の光伝送装置との間で物理レイヤにおいてｐｏｉｎｔ−ｔｏ−ｐｏｉｎｔ伝送を行う第（ｎ＋２）の光伝送装置と、前記第１の光伝送装置の側から前記第ｎの光伝送ユニットに入力される光信号を前記第２の光伝送装置に向けて及び前記第（ｎ＋２）の光伝送装置に２分岐する第ｎの光信号分岐手段と、前記第２の光伝送装置の側から前記第ｎの光伝送ユニットに入力される光信号及び前記第（ｎ＋２）の光伝送装置から出力された光信号を前記第１の光伝送装置に向けて結合する第ｎの光信号結合手段と、前記第（ｎ＋２）の光伝送装置から前記第１の光伝送装置に向けて光信号が出力されるときに、前記第２の光伝送装置の側から前記第ｎの光伝送ユニットに入力される光信号を前記第ｎの光信号結合手段の前段で遮断する第ｎの光信号遮断手段と、が備えられた光伝送システムである。
【０００８】
上記発明により、既存の光伝送システムの構成に大幅な設計変更を伴わずに、新たに複数の光伝送ユニットを挿入するとともに、それぞれの光伝送ユニットに情報伝送機器を接続して使用することが可能となる。
【０００９】
前記光伝送システムにおいて、前記第ｎの光信号遮断手段は、光信号を遮断又は導通させる第ｎの光スイッチと、前記第ｎの光スイッチの動作を制御する第ｎの制御部と、を有し、前記第ｎの光スイッチは、前記第ｎの光信号結合手段と前記第２の光伝送装置との間に挿入され、前記第ｎの制御部は、前記第（ｎ＋２）の光伝送装置から前記第１の光伝送装置に向けて光信号が出力されることを検知したときに、前記第ｎの光スイッチの動作を制御して光信号を遮断させることが望ましい。
【００１０】
このように、上記発明は、簡易な光部品によって、既存の光伝送システムにおいて伝送される光信号の遮断を可能とし、挿入した光伝送ユニットから個別に出力される光信号の具体的な送信制御手段を提供するものである。
【００１１】
また、本発明に係る光伝送システムは、物理レイヤにおいてｐｏｉｎｔ−ｔｏ−ｐｏｉｎｔ伝送を行う第１の光伝送装置と、前記第１の光伝送装置との間で物理レイヤにおいてｐｏｉｎｔ−ｔｏ−ｐｏｉｎｔ伝送を行う第２の光伝送装置と、前記第１の光伝送装置と前記第２の光伝送装置との間に縦続して接続されたｐ（ｐは、自然数である。）個の光伝送ユニットと、を備える光伝送システムであって、第ｑ（ｑは、ｐ以下の自然数である。）の光伝送ユニットには、前記第１の光伝送装置との間で物理レイヤにおいてｐｏｉｎｔ−ｔｏ−ｐｏｉｎｔ伝送を行う第（２ｑ＋１）の光伝送装置と、前記第２の光伝送装置との間で物理レイヤにおいてｐｏｉｎｔ−ｔｏ−ｐｏｉｎｔ伝送を行うことが可能な第（２ｑ＋２）の光伝送装置と、前記第１の光伝送装置の側から前記第ｑの光伝送ユニットに入力される光信号を前記第２の光伝送装置に向けて及び前記第（２ｑ＋１）の光伝送装置に２分岐する第（２ｑ−１）の光信号分岐手段と、前記第２の光伝送装置の側から前記第ｑの光伝送ユニットに入力される光信号を前記第１の光伝送装置に向けて及び前記第（２ｑ＋２）の光伝送装置に２分岐する第２ｑの光信号分岐手段と、前記第２ｑの光信号分岐手段によって前記第１の光伝送装置に向けて分岐された光信号及び前記第（２ｑ＋１）の光伝送装置から出力された光信号を前記第２ｑの光信号分岐手段より前記第１の光伝送装置の側で前記第１の光伝送装置に向けて結合する第ｑの光信号結合手段と、前記第２の光伝送装置から前記第１の光伝送装置に向けて出力される光信号を前記第ｑの光伝送ユニット内で遮断し且つ前記第１の光伝送装置から前記第２の光伝送装置に向けて出力される光信号を前記第ｑの光伝送ユニット内で遮断するか、又は前記第（２ｑ＋１）の光伝送装置が前記第１の光伝送装置に向けて出力する光信号を出力停止する第ｑの光信号制御手段と、が備えられた光伝送システムである。
【００１２】
上記発明により、既存の光伝送システムの構成に大幅な設計変更を伴わずに、新たに複数の光伝送ユニットを挿入するとともに、それぞれの光伝送ユニットに情報伝送機器を接続して使用することが可能となる。また、光伝送ユニットが第４の光伝送装置を備えることで既存の光伝送システムにおいて伝送される光信号及び既存の光伝送システムに挿入した複数の光伝送ユニットから個別に出力される光信号のいずれか１の光信号を送信する伝送順位を設定することが可能となる。
【００１３】
前記光伝送システムにおいて、前記第ｑの光信号制御手段は、光信号を遮断又は導通させる第（２ｑ−１）の光スイッチと、光信号を遮断又は導通させる第２ｑの光スイッチと、前記第（２ｑ−１）の光スイッチ、前記第２ｑの光スイッチ及び前記第（２ｑ＋１）の光伝送装置の動作を制御する第ｑの制御部と、を有し、前記第（２ｑ−１）の光スイッチは、前記第２ｑの光信号分岐手段と前記第ｑの光信号結合手段との間に挿入され、前記第２ｑの光スイッチは、前記第（２ｑ−１）の光信号分岐手段と前記第２の光伝送装置との間に挿入され、前記第ｑの制御部は、前記第（２ｑ＋１）の光伝送装置から前記第１の光伝送装置に向けて光信号が出力されることを検知したときに前記第（２ｑ−１）の光スイッチ及び前記第２ｑの光スイッチの動作を制御して、前記第（２ｑ−１）の光スイッチ及び前記第２ｑの光スイッチ共に光信号を遮断させるか、又は前記第（２ｑ＋２）の光伝送装置が光信号を受信したことを検知したときに前記第（２ｑ＋１）の光伝送装置の動作を制御して、前記第（２ｑ＋１）の光伝送装置から前記第１の光伝送装置に向けて出力される光信号を出力停止させることが望ましい。
【００１４】
このように、上記発明は、簡易な光部品によって、既存の光伝送システムにおいて伝送される光信号及び既存の光伝送システムに挿入した光伝送ユニットから個別に出力される光信号の遮断を可能とし、光伝送システムにおいて伝送される光信号の具体的な送信制御手段を提供するものである。
【００１５】
また、本発明に係る光伝送システムは、物理レイヤにおいてｐｏｉｎｔ−ｔｏ−ｐｏｉｎｔ伝送を行う第１の光伝送装置と、前記第１の光伝送装置との間で物理レイヤにおいてｐｏｉｎｔ−ｔｏ−ｐｏｉｎｔ伝送を行う第２の光伝送装置と、前記第１の光伝送装置と前記第２の光伝送装置との間に縦続して接続されたｓ（ｓは、自然数である。）個の光伝送ユニットと、を備える光伝送システムであって、第ｔ（ｔは、ｓ以下の自然数である。）の光伝送ユニットには、前記第１の光伝送装置との間で物理レイヤにおいてｐｏｉｎｔ−ｔｏ−ｐｏｉｎｔ伝送を行う第（２ｔ＋１）の光伝送装置と、前記第２の光伝送装置との間で物理レイヤにおいてｐｏｉｎｔ−ｔｏ−ｐｏｉｎｔ伝送を行うことが可能な第（２ｔ＋２）の光伝送装置と、前記第１の光伝送装置の側から前記第ｔの光伝送ユニットに入力される光信号を前記第２の光伝送装置に向けて及び前記第（２ｔ＋１）の光伝送装置に２分岐する第（２ｔ−１）の光信号分岐手段と、前記第２の光伝送装置の側から前記第ｔの光伝送ユニットに入力される光信号を前記第１の光伝送装置に向けて及び前記第（２ｔ＋２）の光伝送装置に２分岐する第２ｔの光信号分岐手段と、前記第２ｔの光信号分岐手段によって前記第１の光伝送装置に向けて分岐された光信号及び前記第（２ｔ＋１）の光伝送装置から出力された光信号を前記第２ｔの光信号分岐手段より前記第１の光伝送装置の側で前記第１の光伝送装置に向けて結合する第ｔの光信号結合手段と、前記第２ｔの光信号分岐手段によって前記第１の光伝送装置に向けて分岐された光信号及び前記第（２ｔ＋１）の光伝送装置から出力された光信号のいずれか一方の光信号を前記第ｔの光信号結合手段の前段で遮断し、他方の光信号を導通させる第ｔの光信号遮断手段と、が備えられた光伝送システムである。
【００１６】
上記発明により、既存の光伝送システムの構成に大幅な設計変更を伴わずに、新たに複数の光伝送ユニットを挿入するとともに、それぞれの光伝送ユニットに情報伝送機器を接続して使用することが可能となる。また、光伝送ユニットが第４の光伝送装置を備えることで既存の光伝送システムにおいて伝送される光信号及び既存の光伝送システムに挿入した複数の光伝送ユニットから個別に出力される光信号のいずれか１の光信号を送信する伝送順位を設定することが可能となる。
【００１７】
前記光伝送システムにおいて、前記第ｔの光信号遮断手段は、光信号を遮断又は導通させる第（２ｔ−１）の光スイッチと、光信号を遮断又は導通させる第２ｔの光スイッチと、前記第（２ｔ−１）の光スイッチ及び前記第２ｔの光スイッチの動作を制御する第ｔの制御部とを有し、前記第（２ｔ−１）の光スイッチは、前記第ｔの光信号結合手段と前記第２ｔの光信号分岐手段との間に挿入され、前記第２ｔの光スイッチは、前記第ｔの光信号結合手段と前記第（２ｔ＋１）の光伝送装置との間に挿入され、前記第ｔの制御部は、前記第（２ｔ＋１）の光伝送装置から前記第１の光伝送装置に向けて光信号が出力されること又は前記第（２ｔ＋２）の光伝送装置が光信号を受信したことを検知したときに前記第（２ｔ−１）の光スイッチ及び前記第２ｔの光スイッチの動作を制御していずれか一方の光スイッチによって光信号を遮断させ、他方の光スイッチによって光信号を導通させることが望ましい。
【００１８】
このように、上記発明は、簡易な光部品によって、既存の光伝送システムにおいて伝送される光信号及び既存の光伝送システムに挿入した光伝送ユニットから個別に出力される光信号の遮断を可能とし、光伝送システムにおいて伝送される光信号の具体的な送信制御手段を提供するものである。
【００１９】
また、本発明に係る光伝送ユニットは、相対する光伝送装置との間で物理レイヤにおいてｐｏｉｎｔ−ｔｏ−ｐｏｉｎｔ伝送を行う光伝送装置と、前記相対する光伝送装置と相対する他の光伝送装置との間に配置され、前記相対する光伝送装置から出力された光信号を、前記相対する他の光伝送装置に向けて及び前記光伝送装置とに２分岐する光信号分岐手段と、前記相対する他の光伝送装置と前記相対する光伝送装置との間に配置され、前記相対する他の光伝送装置から出力された光信号及び前記光伝送装置から出力された光信号を前記相対する光伝送装置に向けて結合する光信号結合手段と、前記光信号結合手段と前記相対する他の光伝送装置との間で前記光信号結合手段に接続され、前記相対する他の光伝送装置から前記相対する光伝送装置に向けて出力される光信号を遮断又は導通させる光スイッチと、前記光伝送装置から前記相対する光伝送装置に向けて光信号が出力されることを検知したときに、前記光スイッチの動作を制御して光信号を遮断させる制御部と、を備える光伝送ユニットである。
【００２０】
上記発明により、既存の光伝送システムの構成に大幅な設計変更を伴うことなく情報伝送機器を所望の数だけ挿入することが可能となる。
【００２１】
また、本発明に係る光伝送ユニットは、相対する光伝送装置との間で物理レイヤにおいてｐｏｉｎｔ−ｔｏ−ｐｏｉｎｔ伝送を行う第１の光伝送装置と、前記相対する光伝送装置と相対する他の光伝送装置との間に配置され、前記相対する他の光伝送装置との間で物理レイヤにおいてｐｏｉｎｔ−ｔｏ−ｐｏｉｎｔ伝送を行うことが可能な第２の光伝送装置と、前記相対する光伝送装置と前記相対する他の光伝送装置との間に配置され、前記相対する光伝送装置から出力された光信号を、前記相対する他の光伝送装置に向けて及び前記第１の光伝送装置に２分岐する第１の光信号分岐手段と、前記相対する光伝送装置と前記相対する他の光伝送装置との間に配置され、前記相対する他の光伝送装置から出力された光信号を前記第２の光伝送装置に向けて及び前記相対する光伝送装置に向けて２分岐する第２の光信号分岐手段と、前記第２の光信号分岐手段と前記相対する光伝送装置との間に配置され、前記第２の光信号分岐手段によって前記相対する光伝送装置に向けて分岐された光信号及び前記第１の光伝送装置から出力された光信号を前記相対する光伝送装置に向けて結合する光信号結合手段と、前記第２の光信号分岐手段と前記光信号結合手段との間に挿入され、前記相対する他の光伝送装置から前記相対する光伝送装置に向けて出力される光信号を遮断又は導通させる第１の光スイッチと、前記第１の光伝送装置から前記相対する光伝送装置に向けて光信号が出力されることを検知したときに前記第１の光スイッチ及び前記第２の光スイッチの動作を制御して、前記第１の光スイッチ及び前記第２の光スイッチ共に光信号を遮断させるか、又は前記第２の光伝送装置が光信号を受信したことを検知したときに前記第１の光伝送装置の動作を制御して、前記第１の光伝送装置から前記相対する光伝送装置に向けて出力される光信号を出力停止させる制御部と、を備える光伝送ユニットである。
【００２２】
上記発明により、既存の光伝送システムの構成に大幅な設計変更を伴うことなく情報伝送機器を所望の数だけ挿入することが可能となると共に、既存の光伝送システムにおいて伝送される光信号及び挿入した複数の光伝送ユニットから個別に出力される光信号のうちいずれか１の光信号を送信する伝送順位を設定することが可能となる。
【００２３】
また、本発明に係る光伝送ユニットは、相対する光伝送装置との間で物理レイヤにおいてｐｏｉｎｔ−ｔｏ−ｐｏｉｎｔ伝送を行う第１の光伝送装置と、前記相対する光伝送装置と相対する他の光伝送装置との間に配置され、前記相対する他の光伝送装置との間で物理レイヤにおいてｐｏｉｎｔ−ｔｏ−ｐｏｉｎｔ伝送を行うことが可能な第２の光伝送装置と、前記相対する光伝送装置と前記相対する他の光伝送装置との間に配置され、前記相対する光伝送装置から出力された光信号を、前記相対する他の光伝送装置に向けて及び前記第１の光伝送装置に２分岐する第１の光信号分岐手段と、前記相対する光伝送装置と前記相対する他の光伝送装置との間に配置され、前記相対する他の光伝送装置から出力された光信号を前記第２の光伝送装置に向けて及び前記相対する光伝送装置に向けて２分岐する第２の光信号分岐手段と、前記第２の光信号分岐手段と前記相対する光伝送装置との間に配置され、前記第２の光信号分岐手段によって前記相対する光伝送装置に向けて分岐された光信号及び前記第１の光伝送装置から出力された光信号を前記相対する光伝送装置に向けて結合する光信号結合手段と、
前記第２の光信号分岐手段と前記光信号結合手段との間に挿入され、前記相対する他の光伝送装置から前記相対する光伝送装置に向けて出力される光信号を遮断又は導通させる第１の光スイッチと、前記第１の光伝送装置と前記光信号結合手段との間に挿入され、前記第１の光伝送装置から前記光信号結合手段に向けて出力される光信号を遮断又は導通させる第２の光スイッチと、前記第１の光伝送装置から前記相対する光伝送装置に向けて光信号が出力されること又は前記第２の光伝送装置が光信号を受信したことを検知したときに、前記第１の光スイッチ及び前記第２の光スイッチの動作を制御していずれか一方の光スイッチによって光信号を遮断させ、他方の光スイッチによって光信号を導通させる制御部と、を備える光伝送ユニットである。
【００２４】
上記発明により、既存の光伝送システムの構成に大幅な設計変更を伴うことなく情報伝送機器を所望の数だけ挿入することが可能となると共に、既存の光伝送システムにおいて伝送される光信号及び挿入した複数の光伝送ユニットから個別に出力される光信号のうちいずれか１の光信号を送信する伝送順位を設定することが可能となる。
【発明の効果】
【００２５】
本発明の光伝送システムは、既存の光伝送システムの構成に大幅な設計変更を伴うことなく、既存の光伝送システムに情報伝送機器を挿入して通信することが可能となる。また、既存の光伝送システムか、新たに挿入した情報伝送機器のいずれか一方の光信号を優先的に選択して通信を確保することが可能となる。また、本発明に係る光伝送ユニットでは、既存の光伝送システムの構成に大幅な設計変更を伴うことなく、所望の数の情報伝送機器を挿入して通信することができる。
【発明を実施するための最良の形態】
【００２６】
以下、図を参照して本発明の実施の形態について具体的に説明するが、これらの記載に限定して解釈されない。
【００２７】
（実施の形態１）
図１に、本実施の形態に係る光伝送システムの概略構成図を示す。光伝送システム１０は、物理レイヤにおいてｐｏｉｎｔ−ｔｏ−ｐｏｉｎｔ伝送を行う第１の光伝送装置３１と、第１の光伝送装置３１との間で物理レイヤにおいてｐｏｉｎｔ−ｔｏ−ｐｏｉｎｔ伝送を行う第２の光伝送装置３２と、第１の光伝送装置３１及び第２の光伝送装置３２によって構成される既存の光伝送システムに挿入した光伝送ユニット１１と、を有する。
【００２８】
また、光伝送ユニット１１には、第１の光伝送装置３１との間で物理レイヤにおいてｐｏｉｎｔ−ｔｏ−ｐｏｉｎｔ伝送を行う第３の光伝送装置３３と、第１の光伝送装置３１と第２の光伝送装置３２との間に配置され、第１の光伝送装置３１から出力された光信号７１を第２の光伝送装置３２に向けて及び第３の光伝送装置３３に２分岐する光信号分岐手段４１と、第２の光伝送装置３２と第１の光伝送装置３１との間に配置され、第２の光伝送装置３２から出力された光信号７５及び第３の光伝送装置３３から出力された光信号７３を第１の光伝送装置３１に向けて結合する光信号結合手段４２と、光信号結合手段４２と第２の光伝送装置３２との間で光信号結合手段４２と接続されて、第２の光伝送装置３２から第１の光伝送装置３１に向けて出力される光信号７５を遮断又は導通させる光信号遮断手段としての光スイッチ５２と、光スイッチ５２の動作を制御する制御部５１と、が備えられている。
【００２９】
第１の光伝送装置３１、第２の光伝送装置３２、第３の光伝送装置３３は、情報の送受信を行う情報伝送機器とそれぞれ接続され、情報伝送機器から出力された信号を光信号に変換して、対向する別の光伝送装置に出力する機能、及び対向する別の光伝送装置から出力された光信号を例えば電気信号に変換して情報伝送機器に出力する機能を有する。本実施の形態では、光伝送装置について電気信号と光信号との相互変換を行う形態を示したが、光伝送装置と情報伝送機器との間での信号の送受信は、光ファイバによる光信号の送受信又は無線による送受信によって行ってもよい。光伝送装置と情報伝送機器との間での信号の送受信を光ファイバによる光信号の送受信によって行うことで、高速で情報の送受信が可能となり、又光信号の減衰量が電気信号の減衰量に比べて小さいことから、長距離での情報の送受信が可能となる。一方、光伝送装置と情報伝送機器との間での信号の送受信を例えば無線によって行うことで、情報伝送機器の配置が光伝送装置の位置によって制限されず、情報伝送機器の自由な配置を可能とする。
【００３０】
光伝送装置間では、物理レイヤにおいてｐｏｉｎｔ−ｔｏ−ｐｏｉｎｔ伝送を行う。光伝送装置は、相対する光伝送装置から出力された光信号をすべて物理終端して、上述したように光伝送装置に接続された情報伝送機器に出力する機能を有してもよいし、例えば、第１の光伝送装置３１から第２の光伝送装置３２に向けて出力された光信号７４中のＭＡＣ（Ｍｅｄｉａ  Ａｃｃｅｓｓ  Ｃｏｎｔｒｏｌ）アドレスを第２の光伝送装置３２が識別して、光信号７４が第２の光伝送装置３２に出力されたものでなければ廃棄する機能を第２の光伝送装置３２に持たせてもよい。この機能により、それぞれの光伝送装置に接続された情報伝送機器に必要な情報のみを取り入れることができる。
【００３１】
光信号分岐手段４１は、第１の光伝送装置３１から出力される光信号７１を第２の光伝送装置３２に向かう光信号７４及び第３の光伝送装置３３に向かう光信号７２とに２分岐する機能を有する。光信号分岐手段４１として、例えば２入力２出力の光方向性結合器を適用することができる。
【００３２】
図４に光方向性結合器の概略構成図を示す。光方向性結合器１００は、同じ形状の２本の光導波路１０１、１０２を隣り合わせて平行に配置したとき一方の光導波路１０１に入力された光１０３が他方の光導波路１０２へエネルギ−を移行させながら伝搬していく現象を利用した光部品である。つまり、一方の側からそれぞれ入力された２つの光１０３、１０４がそれぞれ分岐されるため、光１０３を分岐、又は光１０３と光１０４とを結合させることができる。
【００３３】
図１に示す光信号分岐手段４１に、図４に示す光方向性結合器１００を用いることで、光信号のエネルギ−を１対１で２分岐するのみではなく、任意の割合に２分岐することができる。例えば、光信号のエネルギ−の９０％を第２の光伝送装置３２に向かう光信号７４に、１０％を第３の光伝送装置３３に向かう光信号７２にそれぞれ分岐させることができる。光信号エネルギ−の分岐割合を変えることで、第１の光伝送装置３１から第２の光伝送装置３２に出力される光信号７４のエネルギ−の減少を抑えることができ、第１の光伝送装置３１及び第２の光伝送装置３２によって構成される既存の光伝送システムへの光信号の伝送に対する影響を小さくすることができる。なお、分岐による光信号エネルギ−の減衰は、光信号を増幅する光アンプによって回避することもできる。例えば、光アンプを光信号分岐手段４１と第３の光伝送装置３３との間に挿入することによって、光信号７２が光信号７１の１０％のエネルギ−を持つ場合でも、光信号７２を増幅して第３の光伝送装置に受信させることができる。
【００３４】
光信号結合手段４２は、第３の光伝送装置３３から出力される光信号７３及び第２の光伝送装置３２から出力される光信号７５を第１の光伝送装置３１に向けて結合する機能を有する。光信号結合手段４２としては、光信号分岐手段４１と同様に、例えば、図４に示す光方向性結合器１００を適用することができる。
【００３５】
光信号分岐手段４１及び光信号結合手段４２に図４に示す光方向性結合器１００を適用することで、第１の光伝送装置３１と第２の光伝送装置３２とで構成した既存の光伝送システムに、第３の光伝送装置３３を挿入するときに、第１の光伝送装置３１と第２の光伝送装置３２とを接続する光ファイバを切断して、切断した両端部をそれぞれ光方向性結合器に接続するだけでよく、第３の光伝送装置３３の挿入が容易である。
【００３６】
なお、本実施の形態では、第１の光伝送装置３１及び第２の光伝送装置３２によって構成される既存の光伝送システムが２芯の光ファイバによって構成される実施の形態を示しているが、第１の光伝送装置３１及び第２の光伝送装置３２によって構成される既存の光伝送システムが１芯の光ファイバによって構成されている場合もある。この場合、既存の光伝送システムに挿入される光信号分岐手段及び光信号結合手段は、例えば図４に示す光方向性結合器１００とＷＤＭ（Ｗａｖｅｌｅｎｇｔｈ  Ｄｉｖｉｓｉｏｎ  Ｍａｌｔｉｐｌｅｘｉｎｇ）フィルタとを組み合わせて用いることで実現することができる。ＷＤＭフィルタは、光信号の波長ごとに分岐及び結合する機能を有する光部品で、例えば、１入力２出力を有するＷＤＭフィルタに波長λ１、λ２の２つの光信号を入力すると、λ１の光信号、λ２の光信号がそれぞれ１つずつ出力される。また、上記１入力２出力は２入力１出力にもなり、それぞれから１つずつ入力された波長λ１、λ２の光信号は結合されて出力される。
【００３７】
図５に、ＷＤＭフィルタを適用して構成した光信号分岐手段及び光信号結合手段の概略構成図を示す。図５に示すように、第１の光伝送装置３１、第２の光伝送装置３２、第３の光伝送装置３３にそれぞれ接続されたＷＤＭフィルタ２０１、２０２、２０３の間に、光信号５０１を第３の光伝送装置３３に向かう光信号５０３に分岐する光方向性結合器３０１と、光信号５０４を第１の光伝送装置３１に向けて結合する光方向性結合器３０２と、が接続されている。第１の光伝送装置３１及び第２の光伝送装置３２は、ＷＤＭフィルタ２０１、２０２とそれぞれ１芯の光ファイバ４０１、４０２によって接続されており、光信号５０１及び光信号５０２によってｐｏｉｎｔ−ｔｏ−ｐｏｉｎｔ伝送を行うことができる。ここで、例えば光信号５０１の波長をλ１、光信号５０２の波長をλ２とする。上記のように光方向性結合器及びＷＤＭフィルタを接続することによって、第１の光伝送装置３１及び第２の光伝送装置３２によって構成される既存の光伝送システムに第３の光伝送装置３３を挿入することができ、例えば第１の光伝送装置３１から出力された波長λ１の光信号５０１を第３の光信号に向けて出力される波長λ１の光信号５０３に分岐させることができ、また、第３の光伝送装置３３から出力された波長λ２の光信号５０４を第１の光伝送装置３１に向けて出力される光信号５０２に結合させることができる。
【００３８】
図１に示す光スイッチ５２は、第２の光伝送装置３２から第１の光伝送装置３１に向けて出力される光信号７５を機械的に遮断又は導通させる機能を有することで実現できる。例えば、切断された２本の光ファイバの端部同士を向かい合わせ、それぞれの光ファイバの軸を一致させると光信号７５は導通され、軸をずらすと光信号７５は遮断される。この機構は、光ファイバを支えるＶ溝を有する土台を光ファイバの軸と垂直方向に圧電アクチュエ−タによって移動させることで実現させることができる。圧電アクチュエ−タは、電流が流れるとその方向に伸びる圧電素子を利用したアクチュエ−タで、伸び量は圧電アクチュエ−タへの印加電圧によって制御することができる。この光スイッチ５２を光信号遮断手段として使用すれば、光信号７５の遮断又は導通を、後述する制御部５１から出力される電圧信号によって容易に制御することが可能となる。
【００３９】
光スイッチとして、電気光学効果、熱光学効果を利用した平面光波回路を利用してもよい。電気光学効果とは、電界を印加することにより材料の屈折率が変化する効果のことで、この効果を有する材料としては、ニオブ酸リチウム等の材料が挙げられる。また、平面光波回路とは、基板上に光導波路を形成し、光回路としたものをいう。電気光学効果を有する材料を用いた平面光波回路を光ファイバ中に挿入して、平面光波回路に光信号を透過させる構成とする。
【００４０】
透過した光信号を遮断するには、平面光波回路に電界を印加すればよい。平面光波回路に電界を印加することにより、電気光学効果のため、平面光波回路内の屈折率が変化する。屈折率が変化すると光信号の透過経路が変化し、光信号を元の出力位置からずらすことで光信号を遮断することができる。この原理を利用した光スイッチ５２を光信号遮断手段として使用すれば、光信号７５の遮断又は導通を、後述する制御部５１から出力される電圧信号によって、圧電アクチュエ−タを利用した光スイッチと同様に容易に制御することが可能となる。また、電界の代わりに熱を加えることにより材料の屈折率が変化する熱光学効果を利用してもよい。熱光学効果を有する材料としては、例えばＳｉＯ２を挙げることができる。このような平面光波回路は、他の光スイッチにも適用することができる。
【００４１】
制御部５１は、光スイッチ５２の動作を制御する部分で、例えば、前述したような光スイッチ５２の動作を電圧信号によって制御する機能、及び第３の光伝送装置３３から光信号７３が出力されることを検知する機能を有する。光伝送システム１０では、制御部５１が第３の光伝送装置３３から第１の光伝送装置３１に向けて光信号７３が出力されることを検知したときに、光スイッチ５２の動作を制御して光信号７５を遮断させることが望ましい。制御部５１が第３の光伝送装置３３から第１の光伝送装置３１に向けて光信号７３が出力されることを検知することで、強制的に光スイッチ５２によって光信号７５が遮断され、第３の光伝送装置３３から第１の光伝送装置３１に向けての光信号７３の出力を第２の光伝送装置３２から第１の光伝送装置３１に向けての光信号７５の出力より優先させることが可能となる。そのため、光伝送システム１０では、第２の光伝送装置３２及び第３の光伝送装置３３から出力される光信号７３及び光信号７５を同期させて出力する制御を行う必要がなく、第１の光伝送装置３１と第２の光伝送装置３２とで構成された既存の光伝送システムに容易に第３の光伝送装置３３を挿入して使用することができる。
【００４２】
なお、相対する光伝送装置としての第１の光伝送装置３１と相対する他の光伝送装置としての第２の光伝送装置３２との間にｍ（ｍは、自然数である。）個の光伝送ユニット１１を縦続して接続することができる。光伝送ユニット１１を縦続して接続することで所望の数の情報伝送機器を第１の光伝送装置３１と第２の光伝送装置３２とで構成した既存の光伝送システムに挿入することができる。ここで、第ｎ（ｎは、ｍ以下の自然数である。）の光伝送ユニットにおいて、第（ｎ＋２）の光伝送装置は、図１に示される第３の光伝送装置３３に対応する。第ｎの光信号分岐手段は、図１に示される光信号分岐手段４１に対応する。第ｎの光信号結合手段は、図１に示される光信号結合手段４２に対応する。第ｎの光スイッチは、図１に示される光スイッチ５２に対応し、第２の光伝送装置３２の側から第ｎの光伝送ユニットに入力される光信号を遮断又は導通させる機能を有する。
【００４３】
この場合、第ｎの光伝送ユニットの第（ｎ＋２）の光伝送装置から第１の光伝送装置３１に向けて出力される光信号の伝送順位は、第１の光伝送装置３１に近い側が高いため、第ｎの光伝送ユニットに情報伝送機器を接続する場合、第１の光伝送装置３１の側に伝送順位が高いものを接続することが望ましい。
【００４４】
ここで、光伝送システム１０の動作の１例について図１を参照して説明する。まず、第１の光伝送装置３１から出力された光信号７１は光信号分岐手段４１によって第２の光伝送装置３２に向かう光信号７４と、第３の光伝送装置３３に向かう光信号７２と、に２分岐される。第２の光伝送装置３２及び第３の光伝送装置３３は、光信号を光伝送装置内に取り入れて電気信号に変換して情報伝送機器に出力する。前述したように、光伝送装置と情報伝送機器との間での信号の送受信は、光ファイバによる光信号の送受信、無線による電波の送受信によって行ってもよい。また、前述したように、光信号７１がそれぞれの光伝送装置に向けて出力された光信号でなければ各光伝送装置は受信した光信号を識別して廃棄してもよい。以下、光伝送装置については、受信した光信号を識別し、且つ受信した光信号を電気信号に変換して情報伝送機器に出力する実施の形態であるとして説明する。
【００４５】
例えば、光信号７１が第３の光伝送装置３３への送信要求信号である場合、この送信要求信号は第２の光伝送装置３２では廃棄され、第３の光伝送装置３３では電気信号７７に変換されて情報伝送機器３６に出力される。電気信号７７を受信した情報伝送機器３６は、送信要求に応答し、応答信号としての電気信号７８を第３の光伝送装置３３に向けて出力する。電気信号７８を受信した第３の光伝送装置３３は電気信号７８を光信号７３に変換して第１の光伝送装置３１に向けて出力する。
【００４６】
このとき、例えば、電気信号７８から光信号７３に変換される過程で、電気信号７８の一部が光信号出力検知信号６１として制御部５１に出力される。光信号出力検知信号６１を検知した制御部５１は、光スイッチ制御信号６２としての電圧信号を光スイッチ５２に出力し、第２の光伝送装置３２から第１の光伝送装置３１に向けて出力される光信号７５を強制的に遮断させる。
【００４７】
第３の光伝送装置３３から出力された光信号７３は、光信号結合手段４２によって第１の光伝送装置３１に向けて結合される。第２の光伝送装置３２から第１の光伝送装置３１に向けて出力される光信号７５は、光スイッチ５２によって遮断されているために、光信号７３と光信号７５とが衝突することがない。
【００４８】
一方、光信号７１が第２の光伝送装置３２への情報信号である場合、第３の光伝送装置３３では光信号７２は廃棄され、第２の光伝送装置３２では、電気信号７６に変換されて第２の光伝送装置３２に接続された情報伝送機器３５に出力される。
【００４９】
また、制御部５１が光信号出力検知信号６１を検知しないときには、光スイッチ５２によって光信号７５を導通させているため、第２の光伝送装置３２から出力される光信号７５は、そのまま第１の光伝送装置３１に向けて出力される。
【００５０】
上記の動作を行う光伝送システム１０では、第３の光伝送装置３３に接続される情報伝送機器３６は、例えば、ＣＣＤセンサを用いたカメラ、窓の開閉を検出するセンサ、室内温度を検知する温度センサ、室内に発生した煙を検知する煙センサ等のセキュリティセンサ、ガス、水道及び電気の使用量を検針する検針メ−タ等、頻繁に情報の送受信がされることがない情報伝送機器であることが望ましい。これらの情報伝送機器は、コンピュ−タ等の情報端末に比べて情報の出力回数が少なく、第１の光伝送装置３１と第２の光伝送装置３２とで構成される既存の光伝送システムのトラフィックにあまり影響を与えることがなく、光信号の出力に関する特別な制御手段を用いる必要がないためである。また、例えば、屋内に設置されたＣＣＤカメラを外部からの指示によって動作させる等の、光信号の伝送に時間がかかるものを光伝送システム１０によって行うこともできる。
【００５１】
第２の光伝送装置３２に接続された情報伝送機器３５が情報を送受信しないとき、第２の光伝送装置３２を外部との光信号の伝送に専有しても既存の光伝送システムに影響がない場合には、光伝送システム１０を有効に活用することができる。
【００５２】
（実施の形態２）
図２に、本実施の形態に係る光伝送システムの概略構成図を示す。光伝送システム２０は、物理レイヤにおいてｐｏｉｎｔ−ｔｏ−ｐｏｉｎｔ伝送を行う第１の光伝送装置３１と、第１の光伝送装置３１との間で物理レイヤにおいてｐｏｉｎｔ−ｔｏ−ｐｏｉｎｔ伝送を行う第２の光伝送装置３２と、第１の光伝送装置３１及び第２の光伝送装置３２によって構成される既存の光伝送システムに挿入した光伝送ユニット２１と、を有する。
【００５３】
また、光伝送ユニット２１には、第１の光伝送装置３１との間で物理レイヤにおいてｐｏｉｎｔ−ｔｏ−ｐｏｉｎｔ伝送を行う第３の光伝送装置３３と、第２の光伝送装置３２との間で物理レイヤにおいてｐｏｉｎｔ−ｔｏ−ｐｏｉｎｔ伝送を行うことが可能な第４の光伝送装置３４と、第１の光伝送装置３１と第２の光伝送装置３２との間に配置され、第１の光伝送装置３１から出力された光信号８１を第２の光伝送装置３２に向けて及び第３の光伝送装置３３に２分岐する第１の光信号分岐手段４３と、第２の光伝送装置３２と第１の光伝送装置３１との間に配置され、第２の光伝送装置３２から出力された光信号８６及び第３の光伝送装置３３から出力された光信号８３を第１の光伝送装置３１に向けて結合する第１の光信号結合手段４４と、第１の光伝送装置３１と第２の光伝送装置３２との間に配置され、第２の光伝送装置３２から第１の光伝送装置３１に向けて出力された光信号８６を第１の光伝送装置３１に向けて及び第４の光伝送装置３４に２分岐する第２の光信号分岐手段４５と、第１の光信号結合手段４４と第２の光信号分岐手段４５との間に挿入され、第２の光伝送装置３２から第１の光伝送装置３１に向けて出力される光信号８６を遮断又は導通させる光信号制御手段としての第１の光スイッチ５４と、第１の光信号分岐手段４３と第２の光伝送装置３２との間に挿入され、第１の光伝送装置３１から第２の光伝送装置３２に向けて出力される光信号８１を遮断又は導通させる光信号制御手段としての第２の光スイッチ５５と、第１の光スイッチ５４及び第２の光スイッチ５５の動作を制御する制御部５３と、が備えられている。この他に、第４の光伝送装置３４から出力される光信号８５及び第１の光伝送装置３１から出力される光信号８１を第２の光伝送装置３２に向けて結合する第２の光信号結合手段４６を光スイッチ５５と第２の光伝送装置３２との間に設けてもよい。
【００５４】
光伝送システム２０では、第１、第２、第３、第４の光伝送装置、第１、第２の光信号分岐手段、第１、第２の光信号結合手段、第１、第２の光スイッチ、はそれぞれ第１の実施の形態で説明したものと同様のものを用いるため、これらの説明は省略する。
【００５５】
制御部５３は、第１の光スイッチ５４、第２の光スイッチ５５及び第３の光伝送装置３３の動作を制御する部分で、例えば、前述したように圧電アクチュエ−タを備えた光スイッチを電圧信号によって制御する機能、第３の光伝送装置３３から光信号８３が出力されること及び第４の光伝送装置３４が第２の光伝送装置３２から出力された光信号８４を受信したことを検知する機能を有する。第３の光伝送装置３３から第１の光伝送装置３１に向けて光信号８３が出力されることを検知したときに第１の光スイッチ５４及び第２の光スイッチ５５の動作を制御して、第１の光スイッチ５４及び第２の光スイッチ５５共に光信号を遮断させるか、又は第４の光伝送装置３４が光信号８４を受信したことを検知したときに第３の光伝送装置３３の動作を制御して、第３の光伝送装置３３から第１の光伝送装置３１に向けて出力される光信号８３を出力停止させることが望ましい。制御部５３が第１の光スイッチ５４、第２の光スイッチ５５、第３の光伝送装置３３の動作を制御して第３の光伝送装置３３から出力される光信号８３及び第２の光伝送装置３２から出力される光信号８６のいずれかを強制的に選択して出力することで、第２の光伝送装置３２及び第３の光伝送装置３３から出力される光信号を同期させて出力する制御を行う必要がなく、第１の光伝送装置３１及び第２の光伝送装置３２によって構成された既存の光伝送システムに容易に第３の光伝送装置３３を挿入して使用することができる。
【００５６】
また、第２の光伝送装置３２から出力される光信号８６が、第１の光スイッチ５４によって遮断される前に、第４の光伝送装置３４によって受信されるために、第３の光伝送装置３３から第１の光伝送装置３１に向けて出力される光信号８３及び第２の光伝送装置３２から第１の光伝送装置３１に向けて出力される光信号８６の伝送順位を設定することもできる。例えば、第４の光伝送装置３４が光信号８４を受信したときには第１の光スイッチ５４及び第２の光スイッチ５５によって光信号８１、８６を導通させて、且つ第３の光伝送装置３３に光信号８３の出力停止をさせる。上記のように制御部５３が動作すると、第２の光伝送装置３２から第１の光伝送装置３１に向けて出力される光信号８６の伝送順位を第３の光伝送装置３３から第１の光伝送装置３１に向けて出力される光信号８３の伝送順位より高くすることができる。なお、上記伝送順位は、例えば、制御部５３の動作設定によって規定することができる。
【００５７】
なお、相対する光伝送装置としての第１の光伝送装置３１と相対する他の光伝送装置としての第２の光伝送装置３２との間にｐ（ｐは、自然数である。）個の光伝送ユニット２１を縦続して接続することができる。光伝送ユニット２１を縦続して接続することで所望の数の情報伝送機器を既存の光伝送システムに挿入することができる。ここで、第ｑ（ｑは、ｐ以下の自然数である。）の光伝送ユニットにおいて、第（２ｑ＋１）の光伝送装置は、図２で示される第３の光伝送装置３３に対応する。第（２ｑ＋２）の光伝送装置は、図２で示される第４の光伝送装置３４に対応する。第（２ｑ−１）の光信号分岐手段は、図２で示される第１の光信号分岐手段４３に対応する。第２ｑの光信号分岐手段は、図２で示される第２の光信号分岐手段４５に対応する。第ｑの光信号結合手段は、図２で示される第１の光信号結合手段４４に対応する。第（２ｑ−１）の光スイッチは、図２に示される第１の光スイッチ５４に対応し、第２の光伝送装置３２の側から第ｑの光伝送ユニットに入力される光信号を遮断又は導通させる機能を有する。第２ｑの光スイッチは、図２に示される第２の光スイッチ５５に対応し、第１の光伝送装置３１の側から第ｑの光伝送ユニットに入力される光信号を遮断又は導通させる機能を有する。また、光伝送ユニット単位にしたときには、第（２ｑ＋１）の光伝送装置は、相対する光伝送装置とｐｏｉｎｔ−ｔｏ−ｐｏｉｎｔ伝送を行う第１の光伝送装置に対応し、第（２ｑ＋２）の光伝送装置は相対する他の光伝送装置とｐｏｉｎｔ−ｔｏ−ｐｏｉｎｔ伝送を行うことが可能な第２の光伝送装置に対応する。
【００５８】
この場合、本実施の形態では、第２の光伝送装置３２の側から第ｑの光伝送ユニットに入力された光信号を第ｑの光伝送ユニット内で遮断するか又は第（２ｑ＋１）の光伝送装置から出力される光信号を第１の光伝送装置３１に向けて出力するかのいずれかを自由に選択できるため、第１の光伝送装置３１と第２の光伝送装置３２との間に縦続して接続された任意の第ｑの光伝送ユニットの第（２ｑ＋１）の光伝送装置から出力される光信号を第１の光伝送装置３１に向けて出力することができる。任意の第ｑの光伝送ユニットの第（２ｑ＋１）の光伝送装置から出力される光信号を第１の光伝送装置３１に向けて出力することができることで、接続段階では、第（２ｑ＋１）の光伝送装置に接続された情報伝送機器の伝送順位が確定しなくても、使用中に自由に光伝送ユニット２１の内部設定を変更するだけでよく、情報伝送機器を接続し直すことがない。
【００５９】
ここで、光伝送システム２０の動作の１例について図２を参照して説明する。まず、第１の光伝送装置３１から出力された光信号８１は第１の光信号分岐手段４３によって第２の光伝送装置３２に向かう光信号８１と、第３の光伝送装置３３に向かう光信号８２と、に２分岐される。第２の光伝送装置３２及び第３の光伝送装置３３は、それぞれの光伝送装置に出力された光信号であれば、光信号を光伝送装置内に取り入れて電気信号に変換して情報伝送機器に出力し、それぞれの光伝送装置に出力された光信号でなければ廃棄する。
【００６０】
例えば、光信号８１が第２の光伝送装置３２への送信要求信号である場合、第３の光伝送装置３３では光信号８２は廃棄され、第２の光伝送装置３２では、光信号８１は電気信号８０に変換されて第２の光伝送装置３２に接続された情報伝送機器３７に出力される。
【００６１】
電気信号８０を受信した情報伝送機器３７は、送信要求に応答し、応答信号としての電気信号７９を第２の光伝送装置３２に向けて出力する。電気信号７９を受信した第２の光伝送装置３２は電気信号７９を光信号８６に変換して第１の光伝送装置３１に向けて出力する。光信号８６は第２の光信号分岐手段４５によって一部が第４の光伝送装置３４に向けて出力される光信号８４に分岐される。分岐した光信号８４は第４の光伝送装置３４によって受信される。
【００６２】
このとき、例えば、第４の光伝送装置３４は、光信号８４を電気信号に変換して、変換した電気信号の一部を第２の光信号出力検知信号９３として制御部５３に出力する。第２の光信号出力検知信号９３を検知した制御部５３は、光伝送装置制御信号９５としての電圧信号を第３の光伝送装置３３に出力し、第３の光伝送装置３３は光信号８３を強制的に出力停止する。
【００６３】
第２の光伝送装置３２から出力された光信号８６は、第１の光信号結合手段４４によって第１の光伝送装置３１に向けて結合される。第３の光伝送装置３３から第１の光伝送装置３１に向けて出力される光信号８３は、第３の光伝送装置３３によって出力停止されているために、光信号８３と光信号８６とが衝突することがない。
【００６４】
上記の動作例では、第３の光伝送装置３３から第１の光伝送装置３１に向けて出力される光信号８３の伝送順位が、第２の光伝送装置３２から第１の光伝送装置３１に向けて出力される光信号８６の伝送順位より低い場合であるが、伝送順位を逆にすることもできる。例えば、次のように送信制御を行えばよい。
【００６５】
光信号８１が第３の光伝送装置３３への送信要求信号である場合、第２の光伝送装置３２では光信号８１は廃棄され、第３の光伝送装置３３では、光信号８２は電気信号８７に変換されて第３の光伝送装置３３に接続された情報伝送機器３８に出力される。
【００６６】
電気信号８７を受信した情報伝送機器３８は、送信要求に応答し、応答信号としての電気信号８８を第３の光伝送装置３３に向けて出力する。電気信号８８を受信した第３の光伝送装置３３は電気信号８８を光信号８３に変換して第１の光伝送装置３１に向けて出力する。
【００６７】
このとき、例えば、第３の光伝送装置３３は、電気信号８８の一部を第１の光信号出力検知信号９１として制御部５３に出力する。第１の光信号出力検知信号９１を検知した制御部５３は、第１の光スイッチ制御信号９２としての電圧信号を第１の光スイッチ５４に、第２の光スイッチ制御信号９４としての電圧信号を第２の光スイッチ５５にそれぞれ出力し、第１の光スイッチ５４及び第２の光スイッチ５５は光信号８１、８６を強制的に遮断する。ここで、光信号８６が送信途中で遮断された場合、第１の光伝送装置３１から再送信要求信号としての光信号８１が第２の光伝送装置３２に向けて出力されることがある。この場合、光信号８１が遮断されていない場合、再送信要求信号を受信した第２の光伝送装置３２は光信号８６を何度も再送信することになる。そこで、光信号８１を光信号８６と共に遮断することによって上記問題を回避することができる。
【００６８】
第３の光伝送装置３３から出力された光信号８３は、第１の光信号結合手段４４によって第１の光伝送装置３１に向けて結合される。第２の光伝送装置３２から第１の光伝送装置３１に向けて出力される光信号８６は、第１の光スイッチ５４によって遮断されているために、光信号８３と光信号８６とが衝突することがない。また、第２の光信号結合手段４６を設けることで、第３の光伝送装置３３から第１の光伝送装置３１に向けて光信号８３が出力されている場合に、第４の光伝送装置３４から第２の光伝送装置３２に向けて出力停止信号としての光信号８５を出力することによって、第３の光伝送装置３３が光信号８３を出力し終わるまで、第２の光伝送装置３２に光信号８６の出力停止をさせることもできる。
【００６９】
上記の動作を行う光伝送システム２０では、第３の光伝送装置３３に接続される情報伝送機器３８は、例えば、ＣＣＤセンサを用いたカメラ、窓の開閉を検出するセンサ、室内温度を検知する温度センサ、室内に発生した煙を検知する煙センサ等のセキュリティセンサ、ガス、水道、電気の使用量を検針する検針メ−タ等、頻繁に情報の送受信がされることがない情報伝送機器であることが望ましい。これらの情報伝送機器は、コンピュ−タ等の情報端末に比べて情報出力回数が少なく、第１の光伝送装置３１及び第２の光伝送装置３２によって構成される既存の光伝送システムのトラフィックに影響をあまり与えることがなく、光信号の出力に関する特別な制御手段を用いる必要がないためである。
【００７０】
また、それぞれのセキュリティセンサ、検針メ−タに情報の伝送順位を設定することができる。例えば、検針メ−タから出力される情報には緊急性がないため、これらの伝送順位を低く設定する。一方で、煙センサが出力する情報には火災の検知情報など緊急性があるため、伝送順位をいずれの情報伝送機器から出力される情報の伝送順位より高く設定する。このように、光伝送システム２０では、情報の伝送順位に対する自由な設定を可能とする。
【００７１】
また、例えば、屋内に設置されたＣＣＤカメラを外部からの指示によって動作させる等の、光信号の伝送に時間がかかるものを光伝送システム２０によって行うこともできる。
【００７２】
（実施の形態３）
図３に、本実施の形態に係る光伝送システムの概略構成図を示す。光伝送システム２３は、物理レイヤにおいてｐｏｉｎｔ−ｔｏ−ｐｏｉｎｔ伝送を行う第１の光伝送装置３１と、第１の光伝送装置３１との間で物理レイヤにおいてｐｏｉｎｔ−ｔｏ−ｐｏｉｎｔ伝送を行う第２の光伝送装置３２と、第１の光伝送装置３１及び第２の光伝送装置３２によって構成される既存の光伝送システムに挿入した光伝送ユニット２４と、を有する。
【００７３】
また、光伝送ユニット２４には、第１の光伝送装置３１との間で物理レイヤにおいてｐｏｉｎｔ−ｔｏ−ｐｏｉｎｔ伝送を行う第３の光伝送装置３３と、第２の光伝送装置３２との間で物理レイヤにおいてｐｏｉｎｔ−ｔｏ−ｐｏｉｎｔ伝送を行うことが可能な第４の光伝送装置３４と、第１の光伝送装置３１と第２の光伝送装置３２との間に配置され、第１の光伝送装置３１から出力された光信号８１を第２の光伝送装置３２に向けて及び第３の光伝送装置３３に２分岐する第１の光信号分岐手段４３と、第２の光伝送装置３２と第１の光伝送装置３１との間に配置され、第２の光伝送装置３２から出力された光信号８６及び第３の光伝送装置３３から出力された光信号８３を第１の光伝送装置３１に向けて結合する第１の光信号結合手段４４と、第１の光伝送装置３１と第２の光伝送装置３２との間に配置され、第２の光伝送装置３２から第１の光伝送装置３１に向けて出力された光信号８６を第１の光伝送装置３１に向けて及び第４の光伝送装置３４に２分岐する第２の光信号分岐手段４５と、第１の光信号結合手段４４と第２の光信号分岐手段４５との間に挿入され、第２の光伝送装置３２から第１の光伝送装置３１に向けて出力される光信号８６を遮断又は導通させる光信号遮断手段としての第１の光スイッチ５４と、第１の光信号結合手段４４と第３の光伝送装置３３との間に挿入され、第３の光伝送装置３３から第１の光伝送装置３１に向けて出力される光信号８３を遮断又は導通させる光信号遮断手段としての第２の光スイッチ５５と、第１の光スイッチ５４及び第２の光スイッチ５５の動作を制御する制御部５６と、が備えられている。この他に、第４の光伝送装置３４から出力される光信号８５及び第１の光伝送装置３１から出力される光信号８１を第２の光伝送装置３２に向けて結合する第２の光信号結合手段４６を、第一の光信号分岐手段４３と第二の第二の光伝送装置３２との間に設けてもよい。
【００７４】
光伝送システム２３では、第１、第２、第３、第４の光伝送装置、第１、第２の光信号分岐手段、第１、第２の光信号結合手段、第１、第２の光スイッチ、はそれぞれ第１の実施の形態で説明したものと同様のものを用いるため、これらの説明は省略する。
【００７５】
制御部５６は、第１の光スイッチ５４及び第２の光スイッチ５５の動作を制御する部分で、例えば、前述したように圧電アクチュエ−タを備えた光スイッチを電圧信号によって制御する機能及び、第３の光伝送装置３３から光信号８３が出力されること及び第４の光伝送装置３４が第２の光伝送装置３２から出力された光信号８４を受信したことを検知する機能を有する。第３の光伝送装置３３から第１の光伝送装置３１に向けて光信号８３が出力されること又は第４の光伝送装置３４が光信号８４を受信したことを検知したときに第１の光スイッチ５４及び第２の光スイッチ５５の動作を制御していずれか１の光スイッチによって光信号８６又は光信号８３を遮断させることが望ましい。制御部５６が第１の光スイッチ５４、第２の光スイッチ５５のいずれかの光スイッチによって強制的に光信号８６又は光信号８３を遮断させることで、第３の光伝送装置３３又は第２の光伝送装置３２から出力される光信号８６又は光信号８３を第１の光伝送装置３１に向けて出力することが可能となる。つまり、第２の光伝送装置３２及び第３の光伝送装置３３から出力される光信号を同期させて出力する制御を行う必要がなく、第１の光伝送装置３１及び第２の光伝送装置３２によって構成された既存の光伝送システムに容易に第３の光伝送装置３３を挿入して使用することができる。
【００７６】
また、第２の光伝送装置３２から出力される光信号８６が、第１の光スイッチ５４によって遮断される前に、第４の光伝送装置３４によって受信されるために、第３の光伝送装置３３から第１の光伝送装置３１に向けて出力される光信号８３及び第２の光伝送装置３２から第１の光伝送装置３１に向けて出力される光信号８６の伝送順位を設定することもできる。例えば、第４の光伝送装置３４が光信号８４を受信したときには第２の光スイッチ５５によって光信号８３を遮断させ且つ第１の光スイッチ５４によって光信号８６を導通させることで、第２の光伝送装置３２から第１の光伝送装置３１に向けて出力される光信号８６の伝送順位を第３の光伝送装置３３から第１の光伝送装置３１に向けて出力される光信号８３の伝送順位より高くすることができる。なお、上記伝送順位は、例えば、制御部５６の動作設定によって規定することができる。
【００７７】
なお、相対する光伝送装置としての第１の光伝送装置３１と相対する他の光伝送装置としての第２の光伝送装置３２との間にｓ（ｓは、自然数である。）個の光伝送ユニット２４を縦続して接続することができる。光伝送ユニット２４を縦続して接続することで所望の数の情報伝送機器を既存の光伝送システムに挿入することができる。ここで、第ｔ（ｔは、ｓ以下の自然数である。）の光伝送ユニットにおいて、第（２ｔ＋１）の光伝送装置は、図３に示される第３の光伝送装置３３に対応する。第（２ｔ＋２）の光伝送装置は、図３に示される第４の光伝送装置３４に対応する。第（２ｔ−１）の光信号分岐手段は、図３に示される第１の光信号分岐手段４３に対応する。第２ｔの光信号分岐手段は、図３に示される第２の光信号分岐手段４５に対応する。第ｔの光信号結合手段は、図３に示される第１の光信号結合手段４４に対応する。第（２ｔ−１）の光スイッチは、図３に示される第１の光スイッチ５４に対応し、第２の光伝送装置３２の側から第ｑの光伝送ユニットに入力される光信号を遮断又は導通させる機能を有する。第２ｔの光スイッチは、図３に示される第２の光スイッチ５５に対応し、第３の光伝送装置３３から第１の光伝送装置３１に向けて出力される光信号を遮断又は導通させる機能を有する。また、光伝送ユニット単位にしたときには、第（２ｔ＋１）の光伝送装置は、相対する光伝送装置とｐｏｉｎｔ−ｔｏ−ｐｏｉｎｔ伝送を行う第１の光伝送装置に対応し、第（２ｔ＋２）の光伝送装置は相対する他の光伝送装置とｐｏｉｎｔ−ｔｏ−ｐｏｉｎｔ伝送を行うことが可能な第２の光伝送装置に対応する。
【００７８】
この場合、本実施の形態では、第ｔの光伝送ユニットにおいて、第（２ｔ−１）の光スイッチと第２ｔの光スイッチとのいずれかの光スイッチの動作を自由に制御できるため、第１の光伝送装置３１と第２の光伝送装置３２との間に縦続して接続された任意の第ｔの光伝送ユニットの第（２ｔ＋１）の光伝送装置から出力される光信号を第１の光伝送装置３１に向けて出力することができる。任意の第ｔの光伝送ユニットの第（２ｔ＋１）の光伝送装置から出力される光信号を第１の光伝送装置３１に向けて出力することができることで、接続段階では、第（２ｔ＋１）の光伝送装置に接続された情報伝送機器の伝送順位が確定しなくても、使用中に自由に光伝送ユニット２４の内部設定を変更するだけでよく、情報伝送機器を接続し直すことがない。
【００７９】
ここで、光伝送システム２３の動作の１例について図３を参照して説明する。まず、第１の光伝送装置３１から出力された光信号８１は第１の光信号分岐手段４３によって第２の光伝送装置３２に向かう光信号８１と、第３の光伝送装置３３に向かう光信号８２と、に２分岐される。第２の光伝送装置３２及び第３の光伝送装置３３は、それぞれの光伝送装置に出力された光信号であれば、光信号を光伝送装置内に取り入れて電気信号に変換して情報伝送機器に出力し、それぞれの光伝送装置に出力された光信号でなければ廃棄する。
【００８０】
例えば、光信号８１が第２の光伝送装置３２への送信要求信号である場合、第３の光伝送装置３３では光信号８２は廃棄され、第２の光伝送装置３２では、光信号８１は電気信号８０に変換されて第２の光伝送装置３２に接続された情報伝送機器３７に出力される。
【００８１】
電気信号８０を受信した情報伝送機器３７は、送信要求に応答し、電気信号７９を第２の光伝送装置３２に向けて出力する。電気信号７９を受信した第２の光伝送装置３２は電気信号７９を光信号８６に変換して第１の光伝送装置３１に向けて出力する。光信号８６は第２の光信号分岐手段４５によって一部が第４の光伝送装置３４に向けて出力される光信号８４に分岐される。分岐した光信号８４は第４の光伝送装置３４によって受信される。
【００８２】
このとき、例えば、第４の光伝送装置３４は、光信号８４を電気信号に変換して、変換した電気信号の一部を第２の光信号出力検知信号９３として制御部５６に出力する。第２の光信号出力検知信号９３を検知した制御部５６は、第２の光スイッチ制御信号９４としての電圧信号を第２の光スイッチ５５に出力して光信号８３を強制的に遮断させる。
【００８３】
第２の光伝送装置３２から出力された光信号８６は、第１の光信号結合手段４４によって第１の光伝送装置３１に向けて結合される。第３の光伝送装置３３から第１の光伝送装置３１に向けて出力される光信号８３は、第２の光スイッチ５５によって遮断されているために、光信号８３と光信号８６とが衝突することがない。
【００８４】
上記の動作例では、第３の光伝送装置３３から第１の光伝送装置３１に向けて出力される光信号８３の伝送順位が、第２の光伝送装置３２から第１の光伝送装置３１に向けて出力される光信号８６の伝送順位より低い場合であるが、第１の実施の形態でも説明したように、当然に、伝送順位を逆に設定することもできる。また、第２の光信号結合手段４６を設けることで、第３の光伝送装置３３から第１の光伝送装置３１に向けて光信号８３が出力されている場合に、第４の光伝送装置３４から第２の光伝送装置３２に向けて出力停止信号としての光信号８５を出力することによって、第３の光伝送装置３３が光信号８３を出力し終わるまで、第２の光伝送装置３２に光信号８６を出力することを停止させることもできる。
【００８５】
上記の動作を行う光伝送システム２３では、第３の光伝送装置３３に接続される情報伝送機器３８は、例えば、ＣＣＤセンサを用いたカメラ、窓の開閉を検出するセンサ、室内温度を検知する温度センサ、室内に発生した煙を検知する煙センサ等のセキュリティセンサ、ガス、水道、電気の使用量を検針する検針メ−タ等、頻繁に情報の送受信がされることがない情報伝送機器であることが望ましい。これらの情報伝送機器は、コンピュ−タ等の情報端末に比べて情報出力回数が少なく、第１の光伝送装置３１及び第２の光伝送装置３２によって構成される既存の光伝送システムのトラフィックに影響をあまり与えることがなく、光信号の出力に関する特別な制御手段を用いる必要がないためである。
【００８６】
また、それぞれのセキュリティセンサ、検針メ−タに情報の伝送順位を設定することができる。例えば、検針メ−タから出力される情報には緊急性がないため、これらの伝送順位を低く設定する。一方で、煙センサが出力する情報には火災の検知情報など緊急性があるため、伝送順位をいずれの情報伝送機器から出力される情報の伝送順位より高く設定する。このように、光伝送システム２３では、情報の伝送順位に対する自由な設定を可能とする。
【００８７】
また、例えば、屋内に設置されたＣＣＤカメラを外部からの指示によって動作させる等の、光信号の伝送に時間がかかるものを光伝送システム２３によって行うこともできる。
【図面の簡単な説明】
【００８８】
【図１】本発明に係る光伝送システムの構成の１例を示した概略図である。
【図２】本発明に係る光伝送システムの構成の１例を示した概略図である。
【図３】本発明に係る光伝送システムの構成の１例を示した概略図である。
【図４】光方向性結合器の概略構成図である。
【図５】ＷＤＭフィルタを適用して構成した光信号分岐手段及び光信号結合手段の概略構成図である。
【符号の説明】
【００８９】
１０、２０、２３  光伝送システム
１１、２１、２４  光伝送ユニット
３１  第１の光伝送装置
３２  第２の光伝送装置
３３  第３の光伝送装置
３４  第４の光伝送装置
３５、３６、３７、３８  情報伝送機器
４１  光信号分岐手段
４２  光信号結合手段
４３  第１の光信号分岐手段
４４  第１の光信号結合手段
４５  第２の光信号分岐手段
４６  第２の光信号結合手段
５１、５３、５６  制御部
５２  光スイッチ
５４  第１の光スイッチ
５５  第２の光スイッチ
６１  光信号出力検知信号
６２  光スイッチ制御信号
７１、７２、７３、７４、７５  光信号
７６、７７、７８、７９、８０  電気信号
８１、８２、８３、８４、８５、８６、８７、８８  光信号
９１  第１の光信号出力検知信号
９２  第１の光スイッチ制御信号
９３  第２の光信号出力検知信号
９４  第２の光スイッチ制御信号
９５  光伝送装置制御信号
１００、３０１、３０２、３０３、３０４  光方向性結合器
１０１  光導波路
１０２  光
２０１、２０２、２０３  ＷＤＭフィルタ  
【図１】
2005167478.tif 000003
【図２】
2005167478.tif 000004
【図３】
2005167478.tif 000005
【図４】
2005167478.tif 000006
【図５】
2005167478.tif 000007